(57)【特許請求の範囲】
【請求項１】
４質量％以上１２質量％以下のポリオキシエチレン脂肪酸エステルカルボン酸塩、
４質量％以上１２質量％以下のＮ−アシルアミノ酸塩、
１質量％以上１０質量％以下のアルキルグルコシド、及び
１質量％以上６質量％以下のベタイン型両性界面活性剤
が配合され、
毛髪の洗浄に用いられる洗浄剤。
【請求項２】
−ＳＯ3-イオン単位を有することになるアニオン界面活性剤が配合されず、又は、−ＳＯ3-イオン単位を有することになるアニオン界面活性剤の配合量が３質量％以下である請求項１に記載の洗浄剤。
【請求項３】
カチオン化セルロースが配合され、外観が透明の請求項１又は２に記載の洗浄剤。
【請求項４】
イミダゾリンベタイン型両性界面活性剤が前記ベタイン型両性界面活性剤として配合された請求項１〜３のいずれか１項に記載の洗浄剤。
【請求項５】
オリーブ油ＰＥＧ−７カルボン酸塩が前記ポリオキシエチレン脂肪酸エステルカルボン酸塩として配合された請求項１〜４のいずれか１項に記載の洗浄剤。
【請求項６】
Ｎ−アシルシルクアミノ酸塩が前記Ｎ−アシルアミノ酸塩として配合された請求項１〜５のいずれか１項に記載の洗浄剤。
【請求項７】
タンパク質加水分解物が配合された請求項１〜６のいずれか１項に記載の洗浄剤。
【発明の詳細な説明】
【技術分野】
【０００１】
本発明は、シャンプー等として用いられる洗浄剤に関するものである。
【背景技術】
【０００２】
シャンプーにはアニオン界面活性剤が配合されており、その界面活性剤の選択によっては毛髪や頭皮に刺激を与えることがある。オリーブ油ＰＥＧ−７酢酸ナトリウム等のポリオキシエチレン脂肪酸エステルカルボン酸塩は、皮膚に優しい界面活性剤であり、特許文献１には、シャンプーにオリーブ油ＰＥＧ−７カルボン酸ナトリウムを０．０１から１．８質量％配合することが開示されている。
【０００３】
ポリオキシエチレン脂肪酸エステルカルボン酸塩を配合したシャンプーを用いて洗髪を行えば、頭皮への刺激抑制と毛髪への損傷蓄積抑制を期待できるが、このポリオキシエチレン脂肪酸エステルカルボン酸塩の配合のみでは、洗髪の際のシャンプーの泡立ちが悪い、泡が消えやすい、泡のきめ細かさが不十分といった状況となってしまう。これらのことは、シャンプー使用者に一度の洗髪では不十分であるとの印象を与えることも予想され、二度目の洗髪が行われることになると、毛髪及び頭皮の過剰な洗浄を招く可能性がある。また、泡立ち等が不十分であると、洗髪の際の毛髪間の摩擦を引き起こしやすく、毛髪に損傷を与えてしまうことも考えられる。
【先行技術文献】
【特許文献】
【０００４】
【特許文献１】特表２００５−５０４０５０号公報
【発明の概要】
【発明が解決しようとする課題】
【０００５】
本発明は、上記事情に鑑み、ポリオキシエチレン脂肪酸エステルカルボン酸塩が配合され、泡立ち、泡の持続時間、及び泡のきめ細かさに優れる洗浄剤の提供を目的とする。
【課題を解決するための手段】
【０００６】
本発明者等が鋭意検討を行った結果、ポリオキシエチレン脂肪酸エステルカルボン酸塩を配合した洗浄剤において、泡立ち、泡の持続時間、及び泡のきめ細かさを向上させるために、ポリオキシエチレン脂肪酸エステルカルボン酸塩と同様に頭皮や毛髪に優しいと言われているＮ−アシルアミノ酸塩及びアルキルグルコシドを配合しても、それら泡立ち等の向上が十分ではないが、更にベタイン型両性界面活性剤を配合すれば、泡立ち、泡の持続時間、及び泡のきめ細かさの全てが良好になることを見出し、本発明を完成するに至った。
【０００７】
すなわち、本発明に係る洗浄剤は、ポリオキシエチレン脂肪酸エステルカルボン酸塩、Ｎ−アシルアミノ酸塩、アルキルグルコシド、及びベタイン型両性界面活性剤が配合されたものである。本発明に係る洗浄剤を、毛髪の洗浄に用いることができる。
【０００８】
本発明に係る洗浄剤は、カチオン化セルロースが配合され、外観が透明のものでも良い。
【０００９】
本発明に係る洗浄剤において、ポリオキシエチレン脂肪酸エステルカルボン酸塩が２質量％以上１２質量％以下、Ｎ−アシルアミノ酸塩が１質量％以上１２質量％以下、アルキルグルコシドが１質量％以上１０質量％以下、ベタイン型両性界面活性剤が１質量％以上８質量％以下が好ましい。
【００１０】
前記ポリオキシエチレン脂肪酸エステルカルボン酸塩としては、例えばオリーブ油ＰＥＧ−７カルボン酸塩である。
【００１１】
また、前記Ｎ−アシルアミノ酸塩としては、例えばＮ−アシルシルクアミノ酸塩である。Ｎ−アシルシルクアミノ酸塩は、Ｎ−アシルアミノ酸塩の中でも、泡立ち、泡の持続時間、及び泡のきめ細かさがより良好となるだけではなく、毛髪のハリ及び滑らかさも良好となる。
【００１２】
本発明に係る洗浄剤は、タンパク質加水分解物が配合されたものが好適である。タンパク質加水分解物が配合されていれば、泡立ち、泡の持続時間、及び泡のきめ細かさがより良好となる。
【発明の効果】
【００１３】
本発明に係る洗浄剤は、皮膚や毛髪の洗浄の際の泡立ち、泡の持続時間、及び泡のきめ細かさに優れる。
【発明を実施するための形態】
【００１４】
本発明に係る洗浄剤は、ポリオキシエチレン脂肪酸エステルカルボン酸塩、Ｎ−アシルアミノ酸塩、アルキルグルコシド、及びベタイン型両性界面活性剤が水に配合されたものである（水の配合量は、例えば５０質量％以上）。また、この洗浄剤を実使用したときの泡立ち、泡の持続時間、及び泡のきめ細かさが許容されるのであれば、更に公知の洗浄剤原料が配合されていても良い。
【００１５】
（ポリオキシエチレン脂肪酸エステルカルボン酸塩）
本発明の洗浄剤に配合されるポリオキシエチレン脂肪酸エステルカルボン酸塩は、下記式（１）で表される化合物の塩から選択された一種又は二種以上である。なお、ポリオキシエチレン脂肪酸エステルカルボン酸塩の塩の態様としては、ナトリウム塩、カリウム塩等である。
Ｒ1ＣＯＯ−（ＣＨ2ＣＨ2Ｏ）n−ＣＨ2ＣＯＯＨ    （１）
【００１６】
上記式（１）において、Ｒ1は、炭素数８以上（好ましくは１４以上２０以下）の脂肪族炭化水素基を表し、この脂肪族炭化水素基としては、例えばオクチル基、デシル基、ドデシル基、テトラデシル基、ヘキサデシル基、ヘキサデセニル基、オクタデシル基、オクタデセニル基、オクタデカジエニル基、オクタデカトリエニル基、イコシル基、ドコシル基が挙げられる。また、上記式（１）において、平均不可モル数を表すｎは、２以上の整数であり、４以上１０以下が好ましい。
【００１７】
好ましいポリオキシエチレン脂肪酸エステルカルボン酸の例としては、オリーブ油ＰＥＧ−７カルボン酸ナトリウムが挙げられる。オリーブ油ＰＥＧ−７カルボン酸ナトリウムの製造は、オリーブ油とＰＥＧ−７とのエステル交換反応生成物（オリーブ油ＰＥＧ−７）を、モノクロル酢酸ナトリウムと反応させることで可能である。ここで使用するオリーブ油における構成脂肪酸がオレイン酸５５質量％以上８３質量％以下、リノール酸４質量％以上１４質量％以下であれば、皮脂に近い脂肪酸構成なので、皮膚洗浄の際の皮膚刺激を抑えることができる。そのような脂肪酸構成のオリーブ油を使用して製造されたオリーブ油ＰＥＧ−７カルボン酸塩は、Ｂ＆Ｔ  Ｃｏｍｐａｎｙ社製「Ｏｌｉｖｅｍ４６０」として市販されている。
【００１８】
ポリオキシエチレン脂肪酸エステルカルボン酸塩は、毛髪特性を良好にできることが確認されている。以下にその確認方法、確認結果を示す。
毛髪試料：
過酸化水素３質量％、アンモニア１．５質量％の水溶液で、１５分間脱色処理された毛束。
毛髪処理剤：
水に、下記表１のアニオン界面活性剤を配合し、グルタミン酸及び水酸化ナトリウムでｐＨ７．０に調整したアニオン界面活性剤３質量％溶液。基準となる毛髪処理剤は、水のみを成分とするもの。
毛髪処理方法：
毛束１ｇを、振とうさせた４０℃の毛髪処理剤に９時間浸漬した。次に、毛髪試料を水洗し、温風乾燥させた。
毛髪の破断強度：
毛髪処理後の毛髪試料について、破断強度を測定した。破断強度測定では、オリエンテック社製「ＴＥＮＳＩＬＯＮ  ＵＴＭ−ＩＩ−２０」を使用し、単位断面積当たりの破断強度を測定した。測定条件は、測定前に毛髪試料を水に２４時間浸漬、測定時に毛髪試料を水中浸漬、温度２５℃、引張り速度２ｍｍ／分、毛髪試料の引張り間隔２０ｍｍとした。また、測定した毛髪本数は各毛髪試料につき５本とし、測定値の平均と基準との百分率差を算出した。
【００１９】
表１は、毛髪の破断強度結果を示すものである。表１の「基準差」を確認すると、オリーブ油ＰＥＧ−７カルボン酸ナトリウム（ポリオキシエチレン脂肪酸エステルカルボン酸塩）の値が良好であったことが分かる。また、本発明の洗浄剤における必須成分であるＮ−ヤシ油脂肪酸アシルグルタミン酸ナトリウム（Ｎ−アシルアミノ酸塩）及びデシルグルコシド（アルキルグルコシド）の基準差の値も、良好であったことが分かる。
【００２０】
【表１】
0005548464.tif 000002
【００２１】
本発明の洗浄剤におけるポリオキシエチレン脂肪酸エステルカルボン酸塩の配合量は、特に限定されないが、例えば２質量％以上１２質量％以下である。本発明の洗浄剤に任意原料であるカチオン化セルロースを配合すると、洗浄剤が濁ることがあるが、これを回避して透明洗浄剤を実現するためには、ポリオキシエチレン脂肪酸エステルカルボン酸塩の配合量が１０質量％以下が良く、９質量％以下が好ましく、８質量％以下がより好ましい。また、本発明の洗浄剤の洗浄機能を十分とするには、ポリオキシエチレン脂肪酸エステルカルボン酸塩の配合量は、３質量％以上が良く、４質量％以上が好ましく、５質量％以上がより好ましい。
【００２２】
（Ｎ−アシルアミノ酸塩）
本発明の洗浄剤には、アニオン界面活性剤として公知のＮ−アシルアミノ酸塩を一種又は二種以上配合すると良い。このＮ−アシルアミノ酸塩を構成するＮ−アシルアミノ酸としては、例えば、Ｎ−ヤシ油脂肪酸グルタミン酸、Ｎ−ラウロイルグルタミン酸、Ｎ−ミリストイルグルタミン酸、Ｎ−パルミトイルグルタミン酸、Ｎ−ステアロイルグルタミン酸、Ｎ−オレオイルグルタミン酸等のＮ−アシルグルタミン酸；Ｎ−ヤシ油脂肪酸アラニン、Ｎ−ラウロイルアラニン、Ｎ−ミリストイルアラニン、Ｎ−パルミトイルアラニン、Ｎ−ステアロイルアラニン、Ｎ−オレオイルアラニン等のＮ−アシルアラニン；Ｎ−ヤシ油脂肪酸グリシン、Ｎ−ラウロイルグリシン、Ｎ−ミリストイルグリシン、Ｎ−パルミトイルグリシン、Ｎ−ステアロイルグリシン、Ｎ−オレオイルグリシン等のＮ−アシルグリシン；Ｎ−ヤシ油脂肪酸アスパラギン酸、Ｎ−ラウロイルアスパラギン酸、Ｎ−ミリストイルアスパラギン酸、Ｎ−パルミトイルアスパラギン酸、Ｎ−ステアロイルアスパラギン酸、Ｎ−オレオイルアスパラギン酸等のＮ−アシルアスパラギン酸；Ｎ−ラウロイルシルクアミノ酸等のＮ−アシルシルクアミノ酸；が挙げられる。なお、Ｎ−アシルアミノ酸塩の塩の態様としては、ナトリウム塩、カリウム塩、トリエタノールアミン塩等が挙げられる。
【００２３】
好ましいＮ−アシルアミノ酸塩の例としては、Ｎ−アシルシルクアミノ酸塩が挙げられる。
【００２４】
本発明の洗浄剤におけるＮ−アシルアミノ酸塩の配合量は、特に限定されないが、例えば１質量％以上１２質量％以下である。泡立ち、泡の持続時間、泡のきめ細かさ、洗浄力を向上させるには、Ｎ−アシルアミノ酸塩の配合量は、２質量％以上が良く、４質量％以上が好ましく、５質量％以上がより好ましい。また、洗浄剤を安価にするためには、この配合量は、１０質量％以下が良く、８質量％以下が好ましい。
【００２５】
（アルキルグルコシド）
本発明の洗浄剤には、ノニオン界面活性剤として公知のアルキルグルコシドを一種又は二種以上配合すると良い。アルキルグルコシドとしては、例えば、カプリルグルコシド、デシルグルコシド、ラウリルグルコシド、ミリスチルグルコシド、セトステアリルグルコシド、ヤシ油アルキルグルコシド、（Ｃ８−１０）アルキルグルコシド、（Ｃ８−１６）アルキルグルコシド、（Ｃ８−１８）アルキルグルコシド、（Ｃ１２−１６）アルキルグルコシド、（Ｃ１２−２０）アルキルグルコシドが挙げられる。
【００２６】
本発明の洗浄剤におけるアルキルグルコシドの配合量は、特に限定されないが、例えば１質量％以上１０質量％以下である。泡立ち、泡の持続時間、泡のきめ細かさ、洗浄力を向上させるには、アルキルグルコシドの配合量は、２質量％以上が良く、４質量％以上が好ましく、５質量％以上がより好ましい。また、洗浄剤を安価にするためには、この配合量は、９質量％以下が良く、８質量％以下が好ましい。
【００２７】
（ベタイン型両性界面活性剤）
本発明の洗浄剤には、公知のベタイン型両性界面活性剤を一種又は二種以上配合すると良い。ベタイン型両性界面活性剤としては、例えば、２−アルキル−Ｎ−カルボキシメチル−Ｎ−ヒドロキシエチルイミダゾリニウムベタイン等のイミダゾリンベタイン型両性界面活性剤；アルキルジメチルアミノ酢酸ベタイン、脂肪酸アミドプロピルジメチルアミノ酢酸ベタイン、アルキルジヒドロキシエチルアミノ酢酸ベタイン等の酢酸ベタイン型両性界面活性剤；Ｎ−アルキル−Ｎ，Ｎ−ジメチルアンモニウム−Ｎ−プロピルスルホン酸塩、Ｎ−アルキル−Ｎ，Ｎ−ジメチルアンモニウム−Ｎ−（２−ヒドロキシプロピル）スルホン酸塩、Ｎ−脂肪酸アミドプロピル−Ｎ，Ｎ−ジメチルアンモニウム−Ｎ−（２−ヒドロキシプロピル）スルホン酸塩等のスルホベタイン型両性界面活性剤；が挙げられる。
【００２８】
好ましいベタイン型両性界面活性剤の例としては、イミダゾリンベタイン型両性界面活性剤である。この界面活性剤を選択することで、泡の持続、及び泡のきめ細かさを特に良好となる。
【００２９】
本発明の洗浄剤におけるベタイン型両性界面活性剤の配合量は、特に限定されないが、例えば１質量％以上８質量％以下である。泡立ち、泡の持続時間、泡のきめ細かさをより向上させるには、ベタイン型両性界面活性剤の配合量は、２質量％以上が良い。また、この配合量が多いと、毛髪を連日洗浄した場合に毛髪の破断強度が低いものとなる虞があるので、ベタイン型両性界面活性剤の配合量は、６質量％以下が良く、４質量％以下が好ましい。
【００３０】
（任意原料）
本発明の洗浄剤に配合される任意原料は、公知の洗浄剤原料から、この洗浄剤の用途、目的に応じて適宜に選定される。この洗浄剤原料は、アニオン界面活性剤、カチオン界面活性剤、両性界面活性剤、アルコール、多価アルコール、糖類、エステル油、脂肪酸、炭化水素、ロウ、シリコーン、高分子化合物、アミノ酸、動植物抽出物、微生物由来物、無機化合物、香料、防腐剤、金属イオン封鎖剤、紫外線吸収剤などである。
【００３１】
ポリオキシエチレン脂肪酸エステルカルボン酸塩、Ｎ−アシルアミノ酸塩以外のアニオン界面活性剤を配合する場合、洗浄中に−ＳＯ3-イオン単位を有することになるアニオン界面活性剤の選定を避けるか、これを選定した場合には洗浄剤における配合量を３質量％以下にすると良い（好ましくは２質量％以下、より好ましくは１質量％以下）。上記表１にも示した通り、−ＳＯ3-イオン単位を有することになるアニオン界面活性剤を洗浄剤に配合すると、破断強度を良好にするには不利になる。
【００３２】
高分子化合物を配合する場合、塩化Ｏ−［２−ヒドロキシ−３−（トリメチルアンモニオ）プロピル］ヒドロキシエチルセルロース等のカチオン化セルロースを配合すると、毛髪洗浄における指通りを滑らかにできる。カチオン化セルロースの配合量は、例えば０．１質量％以上１．０質量％以下、０．２質量％以上０．６質量％以下である。
【００３３】
また、タンパク質加水分解物を例えば０．０１質量％以上０．１０質量％以下配合することも、毛髪等の感触を良好にできるので好適である。タンパク質加水分解物としては、加水分解ケラチン、加水分解小麦タンパク、加水分解米タンパク、加水分解コラーゲン、加水分解シルク、加水分解大豆タンパク、加水分解エンドウタンパク等が挙げられる。泡立ち、泡の持続時間、泡のきめ細かさを特に良好にし、毛髪の弾力感が特に優れるものとするには、加水分解エンドウタンパクを配合すると良い。
【００３４】
本発明の洗浄剤には、クエン酸、リン酸等の酸、水酸化ナトリウム等のアルカリを配合しても良い。洗浄剤の透明性、液状としての適度な粘度を実現するために、酸及び／又はアルカリを配合し、洗浄剤のｐＨを５．０以上８．０以下に設定すると良い。
【００３５】
（剤型）
洗浄剤の使用直前の剤型は、特に限定されず、例えば、液状、クリーム状、ワックス状、ゲル状、固形状、霧状が挙げられる。この剤型を液状に調整する場合、Ｂ型粘度計を使用して２５℃で計測した６０秒後の粘度が、例えば１５０ｍＰａ・ｓ以上１５００ｍＰａ・ｓ以下である。
【００３６】
（用途）
本発明の洗浄剤を用いて毛髪を洗浄しても良い。また、毛髪以外にも、手、足、顔、体等の皮膚を洗浄対象としてもよい。
【実施例】
【００３７】
以下、実施例に基づき本発明を詳述するが、この実施例の記載に基づいて本発明が限定的に解釈されるものではない。
【００３８】
（洗浄剤）
下記表２に示す原料を水と混合し、実施例及び比較例の液状透明洗浄剤を製造した。なお、各洗浄剤については、リン酸等の酸を適宜配合し、ｐＨを６．０以上６．２以下に調整した。
【００３９】
（毛髪処理）
製造した実施例又は比較例の洗浄剤で毛髪を洗浄し、次いでトリートメント剤で毛髪を処理した。その後、毛髪を温風乾燥させた。
【００４０】
（洗浄剤の評価）
上記毛髪処理での洗浄において、実施例及び比較例の洗浄剤の泡立ち、泡の持続、泡のきめ細かさを目視評価した。評価基準は、１０段階評価とし、実施例３の洗浄剤の評価を「１０」、比較例１の洗浄剤を基準評価の「５」、比較例２の洗浄剤の評価を「１」とした。
【００４１】
（毛髪の評価）
毛髪処理後の毛髪の感触について官能評価を行った。評価基準は、以下の通りとした。
◎：弾力感があり、滑らかな上に、表面が整っている。
○：弾力感があり、滑らか。
×：弾力感が無いか、滑らかではない。
【００４２】
下表２に、評価結果を示す。なお、比較例１の洗浄剤の泡立ち、泡の持続、及び泡のきめ細かさは、実用上不十分な程度であったが、実施例１〜３の洗浄剤の泡立ち、泡の持続、及び泡のきめ細かさは、いずれも実用上十分なものであった。
【表２】
0005548464.tif 000003
【産業上の利用可能性】
【００４３】
本発明の洗浄剤は、泡立ち、泡の持続時間、及び泡のきめ細かさに優れており、毛髪洗浄用途のみならず、手、足、体等の皮膚洗浄にも用いることができる。